(57)【要約】【課題】  安価な構造でどのような姿勢であっても確実に受信できるようにすること。【解決手段】  筐体１内の所定位置に受光器が配置され、該受光器に対向して筐体１に受光窓が形成されており、その受光窓を通してリモコン発信器９から発信したリモコン信号を前記受光器で受信するようにしたリモコン受信装置において、前記受光器が、ホルダ１１に揺動可能に支持されて常に一定姿勢を保持する振り子式受光器１２からなり、該振り子式受光器１２に対向して前記筐体１に複数の受光窓１３〜１５が形成されており、筐体１を所望の姿勢にしたときに、前方に向いている受光窓１３〜１５を通してリモコン信号を振り子式受光器１２で受信するようにした。【選択図】        図１
2007043383.tif 000002
【特許請求の範囲】
【請求項１】
ディスク装置の筐体内の所定位置に受光器が固定され、該受光器に対向して筐体の前面
に受光窓が形成されており、その受光窓を通してリモコン発信器から発信したリモコン信
号を前記受光器で受信するようにしたリモコン受信装置において、前記固定式受光器に代
えて、ホルダに揺動可能に支持されて常に一定姿勢を保持する振り子式受光器が用いられ
、該振り子式受光器が、両側面上部に突設した左右一対の支軸を前記ホルダの軸孔に回転
可能に挿通し重心を支軸よりも下方に位置させた振り子と、該振り子の前面に取り付けた
受光素子と、その振り子の後面に設けたバランサとを有し、筐体を水平姿勢から垂直姿勢
までどのような姿勢にしても受光素子が常に前方を向くように形成され、その受光素子に
対向して前記筐体の前面以外にも底面及び上面の両方またはその一方に受光窓が形成され
ており、筐体を所望の姿勢にしたときに、前方に向いている受光窓を通してリモコン信号
を前記受光素子で受信するようにしたことを特徴とするリモコン受信装置。
【請求項２】
筐体内の所定位置に受光器が配置され、該受光器に対向して筐体に受光窓が形成されて
おり、その受光窓を通してリモコン発信器から発信したリモコン信号を前記受光器で受信
するようにしたリモコン受信装置において、前記受光器が、ホルダに揺動可能に支持され
て常に一定姿勢を保持する振り子式受光器からなり、該振り子式受光器に対向して前記筐
体に複数の受光窓が形成されており、筐体を所望の姿勢にしたときに、前方に向いている
受光窓を通してリモコン信号を振り子式受光器で受信するようにしたことを特徴とするリ
モコン受信装置。
【請求項３】
前記振り子式受光器が、両側面上部に突設した左右一対の支軸を前記ホルダの軸孔に回
転可能に挿通し重心を支軸よりも下方に位置させた振り子と、該振り子の前面に取り付け
た受光素子と、その振り子の後面に設けたバランサとを有し、筐体を水平姿勢から垂直姿
勢までどのような姿勢にしても受光素子が常に前方を向くように形成されていることを特
徴とする請求項２に記載のリモコン受信装置。
【請求項４】
前記受光窓が、筐体の前面以外にも底面及び上面の両方またはその一方に形成されてお
り、筐体を所望の姿勢にしたときに、前方に向いている受光窓を通してリモコン信号を前
記受光素子で受信するようにしたことを特徴とする請求項３に記載のリモコン受信装置。
【発明の詳細な説明】
【技術分野】
【０００１】
本発明は、ディスク装置（例えばスロットイン式ＤＶＤプレーヤ）などの電気機器に用
いられるリモコン受信装置に関し、特に、どのような姿勢であっても、前方から発信され
たリモコン信号を確実に受信できるようにするものである。
【背景技術】
【０００２】
従来、リモコン受信装置の技術として特許文献１などに記載したものがあり、その一例
を図７に基づいて説明すると、これは、リモコン受信装置を備えたスロットイン式ＤＶＤ
プレーヤ（ディスク装置）であって、前面パネル１ａや底板部１ｂ及び天板部１ｃからな
る筐体１内のプリント基板２上にホルダ３を介して受光器４が固定され、該受光器４に対
向して前面パネル１ａの前面の一方端部に受光窓５が形成され、その前面パネル１ａの前
面の中央にディスクＤをスロットイン式に挿通するためのディスク挿通口６が形成されて
いる。なお、７は電源釦などを備えた操作部、８はディスプレイである。
【０００３】
上記構成において、図７に実線で示すように、筐体１を水平姿勢にした状態で、リモコ
ン発信器９から受光窓５に向けてリモコン信号を発信することにより、そのリモコン信号
が受光窓５を通って受光器４で受信され、その受信信号に基づいてＤＶＤプレーヤが操作
される。
【特許文献１】実開平５−９０８９０号公報
【発明の開示】
【発明が解決しようとする課題】
【０００４】
上記従来の構成では、図７に実線で示すように、筐体１を水平姿勢にした状態で、受光
器４が前方を向くように固定されているため、図７に仮想線で示すように、筐体１を垂直
姿勢にした場合には、受光器４が上方を向くようになり、筐体１の前方から発信したリモ
コン信号が受光器４で受信され難くなり、使い勝手が悪い。
【０００５】
上記難点を解消するために、筐体１内に互いに所定の対向角度をおいて複数の受光器４
を配置し、筐体１を水平姿勢から垂直姿勢までどのような姿勢にしても、前方に向く受光
器４でリモコン信号を受信することが考えられるが、これでは、受光器４が複数必要で、
製作費が高くつく。
【０００６】
本発明は、上記従来の欠点に鑑み、安価な構造でどのような姿勢であっても前方から発
信されたリモコン信号を確実に受信できるようにした使い勝手の良いリモコン受信装置を
提供することを目的としている。
【課題を解決するための手段】
【０００７】
上記目的を達成するため、請求項１に記載の発明は、ディスク装置の筐体内の所定位置
に受光器が固定され、該受光器に対向して筐体の前面に受光窓が形成されており、その受
光窓を通してリモコン発信器から発信したリモコン信号を前記受光器で受信するようにし
たリモコン受信装置において、前記固定式受光器に代えて、ホルダに揺動可能に支持され
て常に一定姿勢を保持する振り子式受光器が用いられ、該振り子式受光器が、両側面上部
に突設した左右一対の支軸を前記ホルダの軸孔に回転可能に挿通し重心を支軸よりも下方
に位置させた振り子と、該振り子の前面に取り付けた受光素子と、その振り子の後面に設
けたバランサとを有し、筐体を水平姿勢から垂直姿勢までどのような姿勢にしても受光素
子が常に前方を向くように形成され、その受光素子に対向して前記筐体の前面以外にも底
面及び上面の両方またはその一方に受光窓が形成されており、筐体を所望の姿勢にしたと
きに、前方に向いている受光窓を通してリモコン信号を前記受光素子で受信するようにし
たことを特徴としている。
【０００８】
請求項２に記載の発明は、筐体内の所定位置に受光器が配置され、該受光器に対向して
筐体に受光窓が形成されており、その受光窓を通してリモコン発信器から発信したリモコ
ン信号を前記受光器で受信するようにしたリモコン受信装置において、前記受光器が、ホ
ルダに揺動可能に支持されて常に一定姿勢を保持する振り子式受光器からなり、該振り子
式受光器に対向して前記筐体に複数の受光窓が形成されており、筐体を所望の姿勢にした
ときに、前方に向いている受光窓を通してリモコン信号を振り子式受光器で受信するよう
にしたことを特徴としている。
【０００９】
請求項３に記載の発明は、請求項２に記載の発明において、前記振り子式受光器が、両
側面上部に突設した左右一対の支軸を前記ホルダの軸孔に回転可能に挿通し重心を支軸よ
りも下方に位置させた振り子と、該振り子の前面に取り付けた受光素子と、その振り子の
後面に設けたバランサとを有し、筐体を水平姿勢から垂直姿勢までどのような姿勢にして
も受光素子が常に前方を向くように形成されていることを特徴としている。
【００１０】
請求項４に記載の発明は、請求項３に記載の発明において、前記受光窓が、筐体の前面
以外にも底面及び上面の両方またはその一方に形成されており、筐体を所望の姿勢にした
ときに、前方に向いている受光窓を通してリモコン信号を前記受光素子で受信するように
したことを特徴としている。
【発明の効果】
【００１１】
請求項１に記載の発明は実施の一形態（図１〜図６参照）に対応するものであって、こ
れによれば、筐体を水平姿勢から垂直姿勢までどのような姿勢にしても、振り子の前面に
取り付けた受光素子と該振り子の後面に設けたバランサとが釣り合って、その振り子が支
軸を中心に揺動して垂直状態を保持し、前記受光素子が常に前方を向くため、リモコン発
信器により前方から筐体に向けてリモコン信号を発信するだけで、そのリモコン信号を前
方に向いている受光窓を通して受光素子に確実に受信させることができる。
【００１２】
ここで重要なことは、振り子と受光素子及びバランサからなる振り子式受光器を１つ用
いるだけでよいから、部品点数が増加せず、製作費が安くつく。
【００１３】
また、筐体に受光窓が複数設けられており、筐体をどのような姿勢にしても、いずれか
の受光窓が受光素子の前方に位置するので、その受光窓を通して前方から発信されたリモ
コン信号を受光素子で確実に受信することができる。
【００１４】
要するに、安価な構造でどのような姿勢であっても前方から発信されたリモコン信号を
確実に受信できるようにした使い勝手の良いリモコン受信装置を備えたスロットイン式Ｄ
ＶＤプレーヤなどのディスク装置を提供することができる。
【００１５】
請求項２に記載の発明は基本形態に対応するものであって、これによれば、筐体を水平
姿勢から垂直姿勢までどのような姿勢にしても、常に一定姿勢を保持する振り子式受光器
により前方から筐体の受光窓を通して発信されるリモコン信号を確実に受信することがで
き、しかも、その振り子式受光器が１つだけでよいから、部品点数が増加せず、製作費が
安くつく。
【００１６】
請求項３に記載の発明によれば、筐体を水平姿勢から垂直姿勢までどのような姿勢にし
ても、振り子の前面に取り付けた受光素子と該振り子の後面に設けたバランサとが釣り合
って、その振り子が支軸を中心に揺動して垂直状態を保持し、前記受光素子が常に前方を
向くため、リモコン発信器により前方から筐体に向けてリモコン信号を発信するだけで、
そのリモコン信号を前方に向いている受光窓を通して受光素子に確実に受信させることが
でき、使い勝手がよい。
【００１７】
請求項４に記載の発明によれば、筐体に受光窓が複数設けられており、筐体をどのよう
な姿勢にしても、いずれかの受光窓が受光素子の前方に位置するので、その受光窓を通し
て前方から発信されたリモコン信号を受光素子で確実に受信することができる。
【発明を実施するための最良の形態】
【００１８】
図１は本発明の実施の一形態であるリモコン受信装置を備えたスロットイン式ＤＶＤプ
レーヤを示すものであって、水平姿勢にした筐体１内の前部の一方端にホルダ１１が配置
され、該ホルダ１１に揺動可能に支持されて常に一定姿勢を保持する振り子式受光器１２
が設けられ、該振り子式受光器１２に対向して筐体１の前面パネル１ａの前面以外にも底
面及び上面の両方に複数（この実施の形態では合計３つ）の受光窓１３〜１５が形成され
、該各受光窓１３〜１５内に透光性レンズ１６が配置されている。上記以外の構成は図７
に示す構成とほぼ同じであるから、同一部分に同一符号を付してその説明を省略する。
【００１９】
前記ホルダ１１は、図２〜図４に示すように、互いに所定間隔をおいて平行する左右一
対のＬ字枠１１ａと、該両Ｌ字枠１１ａの基端部どうしを一体連結する連結板１１ｂとを
有し、その両Ｌ字枠１１ａの先端部に軸孔１７が同心状に貫設されており、各Ｌ字枠１１
ａの基端部に一体突設した突起片１１ｃをプリント基板２の貫通孔２ａに嵌入させて外広
がりに変形させることにより、そのプリント基板２上の所定位置にホルダ１１が固定され
ている。
【００２０】
前記振り子式受光器１２は、図２〜図４に示すように、平面視四角形の合成樹脂製振り
子１８と、該振り子１８の前面に取り付けたフォトダイオードからなる受光素子ＬＥＤと
、その受光素子ＬＥＤとほぼ同じ重さで振り子１８の後面に一体突設したバランサ１９と
を有し、前記振り子１８の両側面上部に突設した左右一対の支軸１８ａをホルダ１１の各
軸孔１７に回転可能に挿通することにより、その支軸１８ａの軸心Ｏ１回りで振り子１８
が揺動可能に形成され、振り子１８の下部を下方に延ばすことにより、該振り子１８の重
心Ｇがその振り子１８の中心を通る垂直軸心Ｏ２上で支軸１８ａよりも下方に位置されて
おり、これによって、筐体１を水平姿勢（図１参照）から垂直姿勢（図５及び図６参照）
までどのような姿勢にしても、振り子１８が支軸１８ａを中心に揺動して常に垂直状態を
保持し、受光素子ＬＥＤが常に前方を向くように形成されている。また、受光素子ＬＥＤ
に接続したリード線２０を一方の支軸１８ａ内を通って外方まで延ばしており、そのリー
ド線２０が振り子１８の揺動を阻害しないようにしている。なお、図２中、２１は筐体１
の脚部であって、前面パネル１ａに一体突設されている。
【００２１】
上記構成において、図１にで示すように、筐体１を水平姿勢にした状態で、前方からリ
モコン発信器９により受光窓１３に向けてリモコン信号を発信すると、そのリモコン信号
が受光窓１３を通って受光素子ＬＥＤで受信され、その受信信号に基づいてＤＶＤプレー
ヤが操作される。
【００２２】
図１に示す水平姿勢状態の筐体１を矢印Ａ方向に引き起こして、該筐体１をその底板部
１ｂが前方に向くようにして垂直姿勢にすると、図５に示すように、振り子式受光器１２
が常に一定姿勢を保持して、受光素子ＬＥＤが前方を向いて受光窓１４に対向しており、
この場合にも、前方からリモコン発信器９により受光窓１４に向けてリモコン信号を発信
すると、そのリモコン信号が受光窓１４を通って受光素子ＬＥＤで受信され、その受信信
号に基づいてＤＶＤプレーヤが操作される。
【００２３】
図１に示す水平姿勢状態の筐体１を矢印Ｂ方向に引き起こして、該筐体１をその天板部
１ｃが前方に向くようにして垂直姿勢とし、その筐体１の上下を逆にしてディスク挿通口
６を上向きにすると、図６に示すように、振り子式受光器１２が常に一定姿勢を保持して
、受光素子ＬＥＤが前方を向いて受光窓１５に対向しており、この場合にも、前方からリ
モコン発信器９により受光窓１５に向けてリモコン信号を発信すると、そのリモコン信号
が受光窓１５を通って受光素子ＬＥＤで受信され、その受信信号に基づいてＤＶＤプレー
ヤが操作される。
【００２４】
上記構成によれば、筐体１を水平姿勢（図１参照）から垂直姿勢（図５及び図６参照）
までどのような姿勢にしても、振り子１８の前面に取り付けた受光素子ＬＥＤと該振り子
１８の後面に設けたバランサ１９とが釣り合って、その振り子１８が支軸１８ａを中心に
揺動して垂直状態を保持し、前記受光素子ＬＥＤが常に前方を向くため、リモコン発信器
９により前方から筐体１に向けてリモコン信号を発信するだけで、そのリモコン信号を前
方に向いている受光窓１３〜１５を通して受光素子ＬＥＤに確実に受信させることができ
る。
【００２５】
ここで重要なことは、振り子１８と受光素子ＬＥＤ及びバランサ１９からなる振り子式
受光器１２を１つ用いるだけでよいから、部品点数が増加せず、製作費が安くつく。
【００２６】
また、筐体１に受光窓１３〜１５が複数設けられており、筐体１をどのような姿勢にし
ても、いずれかの受光窓１３〜１５が受光素子ＬＥＤの前方に位置するので、その受光窓
１３〜１５を通して前方から発信されたリモコン信号を受光素子ＬＥＤで確実に受信する
ことができる。
【００２７】
要するに、安価な構造でどのような姿勢であっても前方から発信されたリモコン信号を
確実に受信できるようにした使い勝手の良いリモコン受信装置を備えたスロットイン式Ｄ
ＶＤプレーヤを提供することができる。
【００２８】
上記構成では、前面側、底面側及び上面側の３つの受光窓１３〜１５を設けた場合を例
にあげて説明したが、これに限定されるわけではなく、前面側受光窓１３と底面側受光窓
１４とを２つ設けた場合にも適用され、また、前面側受光窓１３と上面側受光窓１５とを
２つ設けた場合にも適用される。
【産業上の利用可能性】
【００２９】
上記の実施の形態では、スロットイン式ＤＶＤプレーヤを例にあげて説明したが、これ
に限定されるわけではなく、例えばスロットイン式ＤＶＤレコーダなどのディスク装置や
各種電気機器も適用される。
【図面の簡単な説明】
【００３０】
【図１】本発明の実施の一形態であるリモコン受信装置を備えたスロットイン式ＤＶＤプレーヤを示す斜視図である。
【図２】同要部の拡大縦断面図である。
【図３】同要部の拡大横断面図である。
【図４】同要部の分解斜視図である。
【図５】（ａ）は同筐体をその底板部が前方に向くようにして垂直姿勢にした状態の斜視図、（ｂ）は同要部の拡大縦断面図である。
【図６】（ａ）は同筐体をその天板部が前方に向くようにして垂直姿勢にした状態の斜視図、（ｂ）は同要部の拡大縦断面図である。
【図７】従来例を示す斜視図である。
【符号の説明】
【００３１】
１          筐体
９          リモコン発信器
１１        ホルダ
１２        振り子式受光器
１３〜１５  受光窓
１７        軸孔
１８        振り子
１８ａ      振り子の支軸
１９        バランサ
ＬＥＤ      受光素子
Ｇ          振り子の重心
【図１】
2007043383.tif 000003
【図２】
2007043383.tif 000004
【図３】
2007043383.tif 000005
【図４】
2007043383.tif 000006
【図５】
2007043383.tif 000007
【図６】
2007043383.tif 000008
【図７】
2007043383.tif 000009